(57)【要約】【課題】  固定箇所での応力集中を緩和すること。【解決手段】  記録再生装置の駆動部（２）を支持する金属板から成り、駆動部を搭載する搭載部（１０）と、搭載部の両側端（１１，１２）で金属板の折り曲げ加工により形成された互いに対向する第１および第２の折り曲げ部(３１Ａ、３２Ａ)と、両側端とは異なる搭載部の一端で金属板の折り曲げ加工により形成された第３の折り曲げ部（３３Ａ）とを有する、記録再生装置のシャーシ（１Ａ）において、第１乃至第３の折り曲げ部の各々は、互いに離間して金属板を直角に折り曲げることによって形成された一対の立ち上がり部（３１１，３１２；３２１，３２２；３３１，３３２）と、これら一対の立ち上がり部の端部を連結する連結部（３１３；３２３；３３３）とを有する。【選択図】      図３
2006012309.tif 000002
【特許請求の範囲】
【請求項１】
記録再生装置の駆動部を支持する金属板から成るシャーシであって、前記駆動部を搭載する搭載部と、前記搭載部の両側端で前記金属板の折り曲げ加工により形成された互いに対向する第１および第２の折り曲げ部と、前記両側端とは異なる前記搭載部の一端で前記金属板の折り曲げ加工により形成された第３の折り曲げ部とを有する、記録再生装置のシャーシにおいて、
前記第１乃至前記第３の折り曲げ部の各々は、互いに離間して前記金属板を直角に折り曲げることによって形成された一対の立ち上がり部と、該一対の立ち上がり部の端部を連結する連結部とを有することを特徴とする記録再生装置のシャーシ。
【請求項２】
前記第１の折り曲げ部の一方の立ち上がり部に第１の固定孔が設けられ、前記第２の折り曲げ部の一方の立ち上がり部に第２の固定孔が設けられ、前記第３の折り曲げ部の連結部の中央に第３の固定孔が設けられている、請求項１に記載の記録再生装置のシャーシ。
【請求項３】
前記第１の折り曲げ部の連結部の中央に第１の固定孔が設けられ、前記第２の折り曲げ部の連結部の中央に第２の固定孔が設けられ、前記第３の折り曲げ部の連結部の中央に第３の固定孔が設けられている、請求項１に記載の記録再生装置のシャーシ。
【発明の詳細な説明】
【技術分野】
【０００１】
本発明は記録再生装置のシャーシに関する。記録再生装置としては、ヘリカル・スキャン方式で磁気記録を行うＤＡＴ（digital audio tape）レコーダ、８ミリテープレコーダやストリーマ装置などの磁気記録再生装置がある。
【背景技術】
【０００２】
この技術分野において周知のように、ヘリカル・スキャン方式は、データ記録方式の一つであって、磁気テープに対して斜め方向にデータを記録していく方法である。ヘリカル・スキャン方式は、磁気テープに対して水平にデータを記録していく縦列スキャン方式に比べて大高容量化が容易にできる。このようなヘリカル・スキャン方式は、ＤＡＴレコーダや、８ミリテープレコーダ、ストリーマ装置などに採用されている。
【０００３】
ＤＡＴレコーダは、オーディオ信号をデジタル化して記録再生するカセット式テープ録音機で、媒体の非直線性などの影響がないために性能が優れている。カセットとしては、縦５４×横７３×厚さ１０．５ｍｍのコンパクトな専用カセットを使う。磁気テープに記録されるデータは、音声データのほか、頭出しやトラッキングのための情報などがある。記録密度を上げるために、磁気テープへの記録再生には回転ヘッド（rotary head）方式（いわゆるヘリカル・スキャン方式）を用いている。カセットから磁気テープを引き出し、傾斜して取り付けられている回転ヘッドドラムに螺旋状に巻き付け、磁気テープ上に斜めにトラックを形成する。記録再生時にはあらかじめトラック上に記録してある自動トラッキング用の信号を検出して、磁気ヘッドが正しくトラック上にくるように制御している。
【０００４】
一方、ストリーマ装置は、カートリッジ型の磁気テープを用いた大容量外部記憶装置で、テープ・ドライブとも呼ばれる。ストリーマ装置では、複数の磁気ヘッドを有する回転ドラムに磁気テープを摺接させて磁気記録再生を行うように構成されている（例えば、特許文献１参照）。
【０００５】
ストリーマ装置は、複数の磁気ヘッドが取り付けられた回転ドラム（「上ドラム」とも言う）と、シャーシ上に固定された固定ドラム（「下ドラム」とも言う）を有しており、回転ドラムは固定ドラムの中心部分で軸承された回転軸の上端に結合されている。そして、固定ドラムの下方に配されたモータの回転は、回転軸を介して回転ドラムに伝達される。
【０００６】
また、回転ドラムには、一対の記録用磁気ヘッドと一対の再生用磁気ヘッドとが周方向に対して９０度間隔で交互に配置されている。そして、一対の記録用磁気ヘッド及び一対の再生用磁気ヘッドは、夫々ａチャンネル用とｂチャンネル用として１８０度間隔で配置されている。
【０００７】
従って、例えば、テープ巻き付け角を１８０度とした場合、ａチャンネル用の記録用磁気ヘッドが９０度進んだときにａチャンネル用の再生用磁気ヘッドが磁気テープに摺接開始する。また、ａチャンネル用の記録用磁気ヘッドが１８０度進んだときに、ａチャンネル用の再生用磁気ヘッドが９０度の位置に移動し、同時にｂチャンネル用の記録用磁気ヘッドが磁気テープに摺接開始する。
【０００８】
このように、記録用磁気ヘッド及び再生用磁気ヘッドは、磁気テープに摺接しながら情報の記録と再生とを同時に行うことが可能になる。
【０００９】
一方、回転ドラムに設けられた各磁気ヘッドは、ロータリトランスを介して固定側の基板に配されたアンプなどに接続される。そして、ロータリトランスは、環状に形成された一対のロータリトランス半体からなり、ロータ側のロータリトランス半体とステータ側のロータリトランス半体とが互いに微小な隙間を介して対向するように配置される。また、各ロータリトランス半体の平面には、各磁気ヘッドに対応するトランスコイルが収納される溝が同心円状に形成されており、記録用トランスコイルと再生用トランスコイルとが接近した状態で同一平面に取り付けられている。
【００１０】
ＤＡＴレコーダにおける回転ヘッドドラムや、ストリーマ装置における回転ドラム、固定ドラム、回転軸、およびモータの組み合わせからなる回転ドラムユニットは、駆動部と呼ばれる。この駆動部はシャーシ上に実装（搭載）される。
【００１１】
このような駆動部を搭載するシャーシを固定する場合、シャーシの取り付けひずみを防ぐために、３点固定が主に用いられる。
【００１２】
図１に従来のシャーシ１について説明する。シャーシ１は、記録再生装置の駆動部２を支持する金属板から成り、その上に駆動部２を搭載するためのものである。シャーシ１は、駆動部２を搭載する平板状の搭載部１０を有する。この搭載部１０は、互いに対向する第１および第２の側端１１，１２と、これら両側端１１，１２とは異なる側の一端１３とを有する。
【００１３】
シャーシ１は、搭載部１０の第１の側端１１で金属板の折り曲げ加工により形成された第１の折り曲げ部３１と、搭載部１０の第２の側端２で金属板の折り曲げ加工により形成された第２の折り曲げ部３２と、搭載部１０の一端１３で金属板の折り曲げ加工により形成された第３の折り曲げ部３３とを有する。
【００１４】
従来のシャーシ１では、図１に示されるように、第１乃至第３の折り曲げ部３１〜３３の各々は単なる折り曲げ片から成る。第１乃至第３の折り曲げ片３１〜３３には、それぞれ、このシャーシ１を固定するための第１乃至第３の固定孔３１ａ、３２ａ、３３ａが穿設されている。
【００１５】
すなわち、シャーシ１は、これら第１乃至第３の固定孔３１ａ〜３３ａを介してネジ（図示せず）により３点で固定される。第１の折り曲げ片３１は、第１の固定孔３１ａを介してネジで記録再生装置の左側壁（図示せず）に固定され、第２の折り曲げ片３２は、第２の固定孔３２ａを介してネジで記録再生装置の右側壁（図示せず）に固定され、第３の折り曲げ片３３は、第３の固定孔３３ａを介してネジで記録再生装置の後壁（図示せず）に固定される。
【００１６】
すなわち、従来のシャーシ１は、第１乃至第３の折り曲げ片３１〜３３の３点で支持・固定される。
【００１７】
【特許文献１】特開２００３−２０３３０２号公報
【発明の開示】
【発明が解決しようとする課題】
【００１８】
このような構造を有する従来のシャーシ１では、３箇所の固定孔３１ａ〜３３ａを介して折り曲げ片３１〜３３でシャーシ１及びそのシャーシ１上に搭載する駆動部２を支えているので、固定箇所に応力が集中してしまうという問題がある。
【００１９】
図２に従来のシャーシ１を３箇所の固定孔３１ａ〜３３ａを介して折り曲げ片３１〜３３で固定した場合のシミュレーションによる解析結果（フォンミーゼス応力）を示す。この解析結果によると、搭載部１０から第１の折り曲げ片３１が折り曲げられた箇所Ａに２６．５８ｋｇｆ／ｍｍ２の最大応力値があるという結果が得られた。
【００２０】
したがって、本発明の目的は、固定箇所での応力集中を緩和することができる、記録再生装置のシャーシを提供することにある。
【００２１】
本発明の他の目的は、説明が進むにつれて明らかになるだろう。
【課題を解決するための手段】
【００２２】
本発明によれば、記録再生装置の駆動部（２）を支持する金属板から成るシャーシ（１Ａ；１Ｂ）であって、前記駆動部を搭載する搭載部（１０）と、前記搭載部の両側端（１１，１２）で前記金属板の折り曲げ加工により形成された互いに対向する第１および第２の折り曲げ部(３１Ａ、３２Ａ；３１Ｂ，３２Ｂ)と、前記両側端とは異なる前記搭載部の一端で前記金属板の折り曲げ加工により形成された第３の折り曲げ部（３３Ａ）とを有する、記録再生装置のシャーシにおいて、前記第１乃至前記第３の折り曲げ部の各々は、互いに離間して前記金属板を直角に折り曲げることによって形成された一対の立ち上がり部（３１１，３１２；３２１，３２２；３３１，３３２）と、該一対の立ち上がり部の端部を連結する連結部（３１３；３２３；３３３）とを有することを特徴とする記録再生装置のシャーシが得られる。
【００２３】
上記記録再生装置のシャーシ（１Ａ）において、前記第１の折り曲げ部（３１Ａ）の一方の立ち上がり部（３１１）に第１の固定孔（３１ａ）が設けられ、前記第２の折り曲げ部（３２Ａ）の一方の立ち上がり部（３２１）に第２の固定孔（３２ａ）が設けられ、前記第３の折り曲げ部（３３Ａ）の連結部（３３３）の中央に第３の固定孔（３３ａ）が設けられて良い。
【００２４】
また、上記記録再生装置のシャーシ（１Ｂ）において、前記第１の折り曲げ部（３１Ｂ）の連結部（３１３）の中央に第１の固定孔（３１ａ）が設けられ、前記第２の折り曲げ部（３２Ｂ）の連結部（３２３）の中央に第２の固定孔（３２ａ）が設けられ、前記第３の折り曲げ部（３３Ａ）の連結部（３３３）の中央に第３の固定孔（３３ａ）が設けられて良い。
【００２５】
尚、上記括弧内の参照符号は、理解を容易にするために付したものであり、一例に過ぎず、これらに限定されないのは勿論である。
【発明の効果】
【００２６】
本発明では、固定箇所よりも面積の広い、第１乃至第３の折り曲げ部の連結部でシャーシを支えるので、固定箇所の応力を分散し、応力集中を緩和できる。
【発明を実施するための最良の形態】
【００２７】
図３を参照して、本発明の第１の実施の形態に係る記録再生装置のシャーシ１Ａについて説明する。図示の記録再生装置のシャーシ１Ａは、後述するように、第１乃至第３の折り曲げ部の構成が異なる点を除いて、図１に図示した従来の記録再生装置のシャーシ１と同様の構成を有し同様の作用をする。従って、第１乃至第３の折り曲げ部にそれぞれ３１Ａ、３２Ａ、３３Ａの参照符号を付してある。また、従来のシャーシ１の構成要素と同様の機能を有するものには同一の参照符号を付して、説明の簡略化のためにそれらの説明については省略する。
【００２８】
第１乃至第３の折り曲げ部３１Ａ〜３３Ａは、同様の構成を有する。第１の折り曲げ部３１Ａは、互いに離間して金属板を直角に折り曲げることによって形成された一対の立ち上がり部３１１，３１２と、これら一対の立ち上がり部３１１，３１２の端部を連結する連結部３１３とを有する。同様に、第２の折り曲げ部３２Ａは、互いに離間して金属板を直角に折り曲げることによって形成された一対の立ち上がり部３２１，３２２と、これら一対の立ち上がり部３２１，３２２の端部を連結する連結部３２３とを有する。第３の折り曲げ部３３Ａは、互いに離間して金属板を直角に折り曲げることによって形成された一対の立ち上がり部３３１，３３２と、これら一対の立ち上がり部３３１，３３２の端部を連結する連結部３３３とを有する。
【００２９】
第１の折り曲げ部３１Ａの一方の立ち上がり部３１１に、シャーシ１Ａを固定するための第１の固定孔３１ａが穿設されている。同様に、第２の折り曲げ部３２Ａの一方の立ち上がり部３２１に、シャーシ１Ａを固定するための第２の固定孔３２ａが穿設されている。第３の折り曲げ部３３Ａの連結部３３３の中央に、シャーシ１Ａを固定するための第３の固定孔３３ａが穿設されている。
【００３０】
このような構造を有するシャーシ１Ａは、これら第１乃至第３の固定孔３１ａ〜３３ａを介してネジ（図示せず）により３点で固定される。第１の折り曲げ部３１Ａは、第１の固定孔３１ａを介してネジで記録再生装置の左側壁（図示せず）に固定され、第２の折り曲げ部３２Ａは、第２の固定孔３２ａを介してネジで記録再生装置の右側壁（図示せず）に固定され、第３の折り曲げ部３３は、第３の固定孔３３ａを介してネジで記録再生装置の後壁（図示せず）に固定される。
【００３１】
すなわち、図示のシャーシ１Ａでは、第１乃至第３の折り曲げ部３１Ａ〜３３Ａの連結部３１３〜３３３の３面で支持され、第１乃至第３の固定孔３１ａ〜３３ａの３点で固定される。換言すれば、第１乃至第３の折り曲げ部３１Ａ〜３３Ａの連結部３１３〜３３３の各々は、シャーシ１Ａを固定する際の支持部として働く。
【００３２】
このように、固定箇所よりも面積の広い支持部（連結部）３１３〜３３３でシャーシ１Ａを支えるので、固定箇所の応力を分散し、応力集中を緩和できる。
【００３３】
図４に本第１の実施の形態に係るシャーシ１Ａを３箇所の固定孔３１ａ〜３３ａを介して折り曲げ部３１Ａ〜３３Ａで固定した場合のシミュレーションによる解析結果（フォンミーゼス応力）を示す。この解析結果によると、搭載部１０から第２の折り曲げ部３１の固定箇所Ｂに１７．８４ｋｇｆ／ｍｍ２の最大応力値があるという結果が得られた。すなわち、従来のシャーシ１と比較して、本実施の形態に係るシャーシ１Ａの方が、最大応力値が小さいことが分かる。
【００３４】
また、シャーシ１Ａの固定箇所自体は３点のままであるので、搭載部１０の平面が保たれ、シャーシ１Ａの取り付けひずみを回避し得る。
【００３５】
図５を参照して、本発明の第２の実施の形態に係る記録再生装置のシャーシ１Ｂについて説明する。図示の記録再生装置のシャーシ１Ｂは、後述するように、第１および第２の固定孔３１ａおよび３２ａが設けられ箇所が異なる点を除いて、図３に図示した記録再生装置のシャーシ１Ａと同様の構成を有し同様の作用をする。従って、第１および第２の折り曲げ部にそれぞれ３１Ｂおよび３２Ｂの参照符号を付してある。また、図３のシャーシ１Ａの構成要素と同様の機能を有するものには同一の参照符号を付して、説明の簡略化のためにそれらの説明については省略する。
【００３６】
第１の折り曲げ部３１Ｂの連結部３１３の中央に、シャーシ１Ｂを固定するための第１の固定孔３１ａが穿設されている。同様に、第２の折り曲げ部３２Ｂの連結部３２３の中央に、シャーシ１Ｂを固定するための第２の固定孔３２ａが穿設されている。
【００３７】
このような構造を有するシャーシ１Ｂは、これら第１乃至第３の固定孔３１ａ〜３３ａを介してネジ（図示せず）により３点で固定される。第１の折り曲げ部３１Ｂは、第１の固定孔３１ａを介してネジで記録再生装置の左側壁（図示せず）に固定され、第２の折り曲げ部３２Ｂは、第２の固定孔３２ａを介してネジで記録再生装置の右側壁（図示せず）に固定され、第３の折り曲げ部３３Ａは、第３の固定孔３３ａを介してネジで記録再生装置の後壁（図示せず）に固定される。
【００３８】
すなわち、図示のシャーシ１Ｂでは、第１乃至第３の折り曲げ部３１Ｂ、３２Ｂ、３３Ａの連結部３１３〜３３３の３面で支持され、第１乃至第３の固定孔３１ａ〜３３ａの３点で固定される。換言すれば、第１乃至第３の折り曲げ部３１Ｂ、３２Ｂ、３３Ａの連結部３１３〜３３３の各々は、シャーシ１Ａを固定する際の支持部として働く。
【００３９】
このように、固定箇所よりも面積の広い支持部（連結部）３１３〜３３３でシャーシ１Ｂを支え、かつ、固定孔３１ａ〜３３ａをその固定箇所における支持部３１３〜３３３の中央に設けているので、さらに応力集中を緩和することができる。
【００４０】
図６に本第２の実施の形態に係るシャーシ１Ｂを３箇所の固定孔３１ａ〜３３ａを介して折り曲げ部３１Ｂ、３２Ｂ、３３Ａで固定した場合のシミュレーションによる解析結果（フォンミーゼス応力）を示す。この解析結果によると、第１の折り曲げ部３１Ｂの固定箇所Ｃに１２．９９ｋｇｆ／ｍｍ２の最大応力値があるという結果が得られた。すなわち、第１の実施の形態に係るシャーシ１Ａと比較して、第２の実施の形態に係るシャーシ１Ｂの方が、その最大応力値が小さくことが分かる。
【００４１】
また、シャーシ１Ｂの固定箇所自体は３点のままであるので、搭載部１０の平面が保たれ、シャーシ１Ｂの取り付けひずみを回避し得る。
【００４２】
以上、本発明についてその好ましい実施の形態によって説明してきたが、本発明の精神を逸脱しない範囲内で、種々の変形が当業者によって可能であるのは明らかである。
【図面の簡単な説明】
【００４３】
【図１】従来の記録再生装置のシャーシを示す斜視図である。
【図２】図１に示すシャーシを３箇所の固定孔を介して折り曲げ片で固定した場合のシミュレーションによる解析結果（フォンミーゼス応力）を示す斜視図である。
【図３】本発明の第１の実施の形態に係る記録再生装置のシャーシを示す斜視図である。
【図４】図３に示すシャーシを３箇所の固定孔を介して折り曲げ部で固定した場合のシミュレーションによる解析結果（フォンミーゼス応力）を示す斜視図である。
【図５】本発明の第２の実施の形態に係る記録再生装置のシャーシを示す斜視図である。
【図６】図５に示すシャーシを３箇所の固定孔を介して折り曲げ部で固定した場合のシミュレーションによる解析結果（フォンミーゼス応力）を示す斜視図である。
【符号の説明】
【００４４】
１Ａ、１Ｂ    シャーシ
２    駆動部
１０    搭載部
１１，１２    搭載部の両側端
１３    搭載部の一端
３１Ａ、３１Ｂ    第１の折り曲げ部
３２Ａ、３２Ｂ    第２の折り曲げ部
３３Ａ    第３の折り曲げ部
３１１、３１２、３２１、３２２、３３１、３３２    立ち上がり部
３１３、３２３、３３３    連結部
【図１】
2006012309.tif 000003
【図２】
2006012309.tif 000004
【図３】
2006012309.tif 000005
【図４】
2006012309.tif 000006
【図５】
2006012309.tif 000007
【図６】
2006012309.tif 000008